(57)【要約】【課題】表示装置において、下フレームに備えられる爪の影響による表示不良を低減する。【解決手段】表示装置は、表示パネルユニットと、前記表示パネルユニットを背面側から覆う下フレームと、を備え、前記下フレームは、内周側が開口された枠部と、前記枠部から外周側に突出して形成された少なくとも一つの爪部と、前記枠部から前記爪部が突出する方向とは反対方向に突出して形成されている補強部と、を含む。【選択図】図４
2017161828.tif 000002
【特許請求の範囲】
【請求項１】
表示パネルユニットと、
前記表示パネルユニットを背面側から覆う下フレームと、
を備え、
前記下フレームは、内周側が開口された枠部と、前記枠部から外周側に突出して形成された少なくとも一つの爪部と、前記枠部から前記爪部が突出する方向とは反対方向に突出して形成されている補強部と、を含む、
ことを特徴とする表示装置。
【請求項２】
前記補強部は、前記枠部よりも背面側に位置し、前記枠部との間に段差を形成している、
ことを特徴とする請求項１に記載の表示装置。
【請求項３】
前記枠部は、第１方向に延伸する一対の第１枠部分と、第２方向に延伸する一対の第２枠部分と、を含み、
前記爪部は、前記第１枠部分及び前記第２枠部分の少なくとも一方に形成されており、
前記補強部は、前記第１枠部分と前記第２枠部分とを架け渡すように形成されている、
ことを特徴とする請求項１に記載の表示装置。
【請求項４】
前記枠部は、第１方向に延伸する一対の第１枠部分と、第２方向に延伸する一対の第２枠部分と、を含み、
前記爪部は、前記第２枠部分に形成されており、
前記補強部は、対向する前記一対の第２枠部分のそれぞれを架け渡すように形成されている、
ことを特徴とする請求項１に記載の表示装置。
【請求項５】
前記補強部は、さらに、前記第１枠部分と前記第２枠部分とを架け渡すように形成されている、
ことを特徴とする請求項５に記載の表示装置。
【請求項６】
前記表示パネルユニットは、表示パネルと、前記表示パネルと前記下フレームとの間に配置されるバックライトユニットと、を含む、
ことを特徴とする請求項１に記載の表示装置。
【発明の詳細な説明】
【技術分野】
【０００１】
本発明は、表示装置に関する。
【背景技術】
【０００２】
ノート型コンピュータや表示モニタでは、表示パネルと、表示パネルの背面に光を照射するバックライトユニットとを、フレームとで挟み込んだ表示装置をノート型コンピュータや表示モニタの製品ケースに固定している。
【０００３】
特許文献１では、フレームに、外方に突設した爪が備えられ、ケースの側壁に爪受け穴が備えられており、爪受け穴に爪が係合することで表示装置が製品ケースに固定されることを開示している。
【先行技術文献】
【特許文献】
【０００４】
【特許文献１】特開平１１−２０２７８７号公報
【発明の概要】
【発明が解決しようとする課題】
【０００５】
近年、表示装置の小型化、軽量化に伴い、バックライトユニットの背面側に位置する下フレームを、開口が設けられた枠状の構造とすることがある。このような枠状の下フレームを用いた場合、下フレームにおける爪周辺は、爪の固定操作等の動きにより変形しやすくなる。例えば、下フレームにおける爪周辺の変形により、下フレームがバックライトユニット側に持ち上げられてしまうことがある。このように、下フレームとバックライトユニットとが干渉しやすくなると、表示パネルの表示面に波紋が発生するなどの表示不良の原因になり得る。
【０００６】
本発明は、上記課題に鑑みてなされたものであり、その目的の一つは、表示装置において、下フレームに備えられる爪の影響による表示不良を低減する。
【課題を解決するための手段】
【０００７】
上記課題を解決するために、本発明の表示装置は、表示パネルユニットと、前記表示パネルユニットを背面側から覆う下フレームと、を備え、前記下フレームは、内周側が開口された枠部と、前記枠部から外周側に突出して形成された少なくとも一つの爪部と、前記枠部から前記爪部が突出する方向とは反対方向に突出して形成されている補強部と、を含む、ことを特徴とする。
【０００８】
本発明に係る表示装置では、前記補強部は、前記枠部よりも背面側に位置し、前記枠部との間に段差を形成していてもよい。
【０００９】
本発明に係る表示装置では、前記枠部は、第１方向に延伸する一対の第１枠部分と、第２方向に延伸する一対の第２枠部分と、を含み、前記爪部は、前記第１枠部分及び前記第２枠部分の少なくとも一方に形成されており、前記補強部は、前記第１枠部分と前記第２枠部分とを架け渡すように形成されていてもよい。
【００１０】
本発明に係る表示装置では、前記枠部は、第１方向に延伸する一対の第１枠部分と、第２方向に延伸する一対の第２枠部分と、を含み、前記爪部は、前記第２枠部分に形成されており、前記補強部は、対向する前記一対の第２枠部分のそれぞれを架け渡すように形成されていてもよい。
【００１１】
本発明に係る表示装置では、前記補強部は、さらに、前記第１枠部分と前記第２枠部分とを架け渡すように形成されていてもよい。
【００１２】
本発明に係る表示装置では、前記表示パネルユニットは、表示パネルと、前記表示パネルと前記下フレームとの間に配置されるバックライトユニットと、を含んでいてもよい。
【発明の効果】
【００１３】
本発明によれば、表示装置において、下フレームに備えられる爪の影響による表示不良を低減することができる。
【図面の簡単な説明】
【００１４】
【図１】本実施形態に係る表示装置の全体構成の概略を示す分解斜視図である。
【図２】比較例に係る下フレームの平面図である。
【図３】比較例に係る表示装置の部分断面図である。
【図４】本実施形態に係る下フレームの第１例を示す平面図である。
【図５】本実施形態に係る表示装置の部分断面図である。
【図６】本実施形態に係る下フレームの第２例を示す平面図である。
【図７】本実施形態に係る下フレームの第３例を示す平面図である。
【図８】本実施形態に係る下フレームの第４例を示す平面図である。
【発明を実施するための形態】
【００１５】
以下、本発明の実施形態について、図面を用いて説明する。本発明の実施形態では、液晶表示装置を例に挙げるが、本発明に係る表示装置は液晶表示装置に限定されるものではなく、例えば有機ＥＬ表示装置等であってもよい。
【００１６】
図１は、本実施形態に係る表示装置１の全体構成の概略を示す分解斜視図である。表示装置１は、画像を表示する表示パネル２と、表示パネル２に背面側から光を照射するバックライトユニット３と、を含む表示パネルユニット１ａを含んで構成されている。また、表示装置１は、遮光テープ４と、下フレーム５、モールドフレーム６とにより表示パネル２及びバックライトユニット３を挟み込むように組み立てられている。下フレーム５には爪部２５が備えられており、当該爪部２５を介して表示装置１と製品ケース５００（図３参照）とが固定される。
【００１７】
ここで、本実施形態に係る表示装置１と比較するための比較例に係る表示装置１００について説明する。図２は、比較例に係る下フレーム１０５を表示面側から見た平面図である。図３は、比較例に係る表示装置１００の部分断面図である。図３は、比較例に係る表示装置１００を製品ケース５００に固定した状態を示している。また図３に示す下フレーム１０５は、図２のＡ−Ａ´断面を示している。
【００１８】
図２に示すように、比較例に係る下フレーム１０５は、平面的に見て枠状の枠部１１５と、４つの爪部１２５とから構成されている。枠部１１５は、第１方向ｄ１に延伸する一対の第１枠部分１１５ａと、第２方向ｄ２に延伸する一対の第２枠部分１１５ｂとから構成されている。そして、一対の第１枠部分１１５ａと一対の第２枠部分１１５ｂとで囲まれる領域が開口している。爪部１２５は、枠部１１５の一部から外周側に突出して形成されている。爪部１２５と製品ケース５００とは、例えばネジ止めにより固定されることとする。図２では、爪部１２５には、ネジ止めのためのネジ１２７が貫通する貫通孔１２６が形成されている。
【００１９】
また、図３に示すように、比較例に係る表示装置１００は、表示パネルユニット１０１ａと、遮光テープ１０４と、下フレーム１０５と、モールドフレーム１０６とを含んで構成されている。表示パネルユニット１０１ａは、表示パネル１０２と、バックライトユニット１０３とを含んで構成されている。
【００２０】
表示パネル１０２は、ＴＦＴ基板１２１と、対向基板１２２と、両基板間に挟持される液晶１２３とを含んで構成されている。ＴＦＴ基板１２１には、表示パネル１０２を駆動するためのドライバＩＣと、ＦＰＣ（図示せず）等に接続される端子とが設けられている。なお、ＴＦＴ基板１２１及び対向基板１２２は、周知の構成を適用することができる。
【００２１】
バックライトユニット１０３は、導光板１３１と、導光板１３１の背面側に配置される反射シート１３２と、導光板１３１の表示面側に配置される光学シート１３３と、導光板１３１の側面から光を照射する光源１３４とを含んで構成されている。
【００２２】
遮光テープ１０４は、表示パネル１０２の表示面の周縁部から表示装置１００の側面を覆うように配置されている。遮光テープ１０４の材料としては、遮光性を有する材料の粘着テープが好適である。これにより、遮光テープ１０４と下フレーム１０５との間に表示パネル１０２及びバックライトユニット１０３を固定するとともに、表示装置１００の外部への光漏れを防止する。
【００２３】
下フレーム１０５は、表示パネルユニット１０１ａの背面側、より詳細にはバックライトユニット１０３の背面側を覆うように配置されており、バックライトユニット１０３を支持する。下フレーム１０５は、反射シート１３２に対向する底板部１０５ｃと、底板部１０５ｃから表示面側に延出する側壁部１０５ｄとから構成されている。爪部１２５は、側壁部１０５ｄの一部から外周側に延出している。そして、ネジ１２７が、爪部１２５に備えられる貫通孔１２６を介して製品ケース５００に固定される。
【００２４】
モールドフレーム１０６は、表示面側から見て枠状に形成されており、バックライトユニット１０３の周縁を覆うように配置されている。また、モールドフレーム１０６の表示面側に表示パネル１０２が載置されている。
【００２５】
ここで、図２、図３に示すような開口を有する下フレーム１０５においては、枠部１１５のうち爪部１２５が形成される部分の周辺は変形しやすくなる。例えば、側壁部１０５ｄに対する爪部１２５の角度θが９０度以上に形成されている場合に、下フレーム１０５を製品ケース５００に固定すると、枠部１１５の内周側の端部１１５ｅが表示面側に持ち上げられてしまうことがある。その結果、枠部１１５と反射シート１３２とが干渉しやすくなり、表示パネル２の表示面に波紋が生じるなどの表示不良の原因となり得る。特に、枠部１１５の内周側の端部１１５ｅのうち爪部１２５が形成される部分の周辺には応力が集中し易いため、表示面のうち爪部１２５が配置される領域の周辺に波紋が生じやすくなる。
【００２６】
そこで、本実施形態では、開口を有する下フレーム５を備える表示装置１において、爪部２５の影響による表示不良を低減する構成としている。以下、本実施形態に係る表示装置１の具体的構成について説明する。
【００２７】
図４は、本実施形態に係る下フレーム５の第１例を示す平面図である。図４は、本実施形態に係る下フレーム５を表示面側から見た平面図である。図５は、本実施形態に係る表示装置１の部分断面図である。図５は、本実施形態に係る表示装置１を製品ケース５００に固定した状態を示している。また図５に示す下フレーム５は、図４のＢ−Ｂ´断面を示している。
【００２８】
図４に示すように、本実施形態に係る下フレーム５は、平面的に見て枠状の枠部１５と、枠部１５の一部から外周側に突出して形成される少なくとも一つの爪部２５と、枠部１５の内周側に突出して形成される少なくとも一つの補強部３５とから構成されている。枠部１５は、第１方向ｄ１に延在する一対の第１枠部分１５ａと、第２方向ｄ２に延在する一対の第２枠部分１５ｂとから構成されている。爪部２５は、第１枠部分１５ａ及び第２枠部分１５ｂの少なくとも一方に形成されている。図４では、４つの爪部２５が、それぞれ枠部１５の第２枠部分１５ｂの一部から外周側（第１方向ｄ１）に突出して形成されている。なお、爪部２５は、枠部１５の第１枠部分１５ａの一部から外周側（第２方向ｄ２）に突出して形成されていてもよいし、枠部１５の第１枠部分１５ａの一部及び第２枠部分１５ｂの一部の両方から外周側（第２方向ｄ２）に突出して形成されていてもよい。また、一対の第２枠部分１５ｂのうち一方に形成される爪部２５と、他方に形成される爪部２５とは、第１方向ｄ１に対称となる位置に形成されてもよいし非対称となる位置に形成されてもよい。爪部２５と製品ケース５００とは、例えばネジ止めにより固定されることとする。図４では、爪部２５には、ネジ止めのためのネジ２７が貫通する貫通孔２６が形成されている。なお、爪部２５と製品ケース５００との固定は、ネジ止めに限定されず、例えば、製品ケース５００に嵌合孔が形成されており、当該嵌合孔に爪部２５を嵌め込むことで固定されてもよい。
【００２９】
本実施形態に係る下フレーム５には、枠部１５から爪部２５が突出する方向とは反対方向に突出する補強部３５が形成されている。補強部３５は、枠部１５の内周側の端部１５ｅから突出して形成されている。また、補強部３５は、少なくとも、枠部１５の内周側の端部１５ｅのうち、外周側から内周側を見て爪部２５に重なる付け根部分１５０から突出して形成されている。換言すると、補強部３５は、少なくとも、枠部１５の内周側の端部１５ｅのうち、爪部２５が突出する方向とは反対方向の延長線上に位置する端部１５ｅの部分を含む領域に形成されている。このような補強部３５が形成されることで、枠部１５における爪部２５が形成される部分の周辺が撓みにくくなる。
【００３０】
図４に示す下フレーム５には、４つの爪部２５それぞれに対応する４つの補強部３５が形成されている。各補強部３５は、爪部２５が形成されている第２枠部分１５ｂから第１枠部分１５ａへ架け渡されるように形成されている。具体的には、各補強部３５は、爪部２５が形成されている第２枠部分１５ｂから第１枠部分１５ａへ架け渡されるように、平面的に見て三角形状に形成されている。このように、補強部３５が、第１枠部分１５ａ及び第２枠部分１５ｂの両枠部分に接続されていることで、枠部１５における爪部２５の付け根周辺が撓みにくくなる。また、図４に示すように、補強部３５において第１枠部分１５ａと第２枠部分１５ｂとを結んでいる内周側の端部３５ｅは、爪部２５が突出する方向に対して斜交する方向に延伸している。これにより枠部１５における爪部２５が形成される部分の周辺に応力が集中し難くなる。
【００３１】
また、図５に示すように、本実施形態に係る表示装置１は、表示パネルユニット１ａと、遮光テープ４と、下フレーム５と、モールドフレーム６とを含んで構成されている。表示パネルユニット１ａは、表示パネル２と、バックライトユニット３とを含んで構成されている。
【００３２】
表示パネル２は、ＴＦＴ基板２１と、対向基板２２と、両基板間に挟持される液晶２３とを含んで構成されている。ＴＦＴ基板２１には、表示パネル２を駆動するためのドライバＩＣと、ＦＰＣ（図示せず）等に接続される端子とが設けられている。なお、ＴＦＴ基板２１及び対向基板２２は、周知の構成を適用することができる。
【００３３】
バックライトユニット３は、導光板３１と、導光板３１の背面側に配置される反射シート３２と、導光板３１の表示面側に配置される光学シート３３と、導光板３１の側面から光を照射する光源３４とを含んで構成されている。
【００３４】
遮光テープ４は、表示パネル２の表示面の周縁部から表示装置１の側面を覆うように配置されている。遮光テープ４の材料としては、遮光性を有する材料の粘着テープが好適である。これにより、遮光テープ４と下フレーム５との間に表示パネル２及びバックライトユニット３を固定するとともに、表示装置１の外部への光漏れを防止する。
【００３５】
下フレーム５は、表示パネルユニット１ａの背面側、より詳細にはバックライトユニット３の背面側を覆うように配置されており、バックライトユニット３を支持する。下フレーム５は、枠部１５と爪部２５と補強部３５とを含んで構成されている。枠部１５は、反射シートに対向する底板部１５ｃと、底板部１５ｃから表示面側に延出する側壁部１５ｄとを含んで構成されている。爪部２５は、側壁部１５ｄの一部から外周側に向けて延出している。そして、爪部２５の貫通孔２６を介して爪部２５と製品ケース５００とがねじ止めされる。補強部３５は、底板部１５ｃの内周側の端部から内周側に向けて延出している。ここで、補強部３５は、底板部１５ｃよりも背面側に位置している、言い換えると、底板部１５ｃよりも背面側に突出した位置に位置している。つまり、底板部１５ｃと補強部３５との間で段差ｓｔが形成されている。底板部１５ｃと補強部３５との間で段差ｓｔが形成されていることで、枠部１５における爪部２５が形成される部分が補強され、当該部分の周辺に応力が集中し難くなる。また、補強部３５が底板部１５ｃよりも背面側に位置することで、補強部３５とバックライトユニット３との間の間隔Ｃ１が、底板部１５ｃとバックライトユニット３との間の間隔Ｃ２よりも大きくすることができる。このため、底板部１５ｃの内周側に突出した補強部３５をバックライトユニット３に干渉し難くすることができ、結果として、表示パネル２の表示面に波紋が生じるおそれを低減することができる。なお、底板部１５ｃと補強部３５とで段差が形成されずに、底板部１５ｃと補強部３５とが同一平面上に形成されていてもよい。
【００３６】
本実施形態では、下フレーム５を構成する枠部１５、爪部２５及び補強部３５は、一体になっている。すなわち、枠部１５、爪部２５及び補強部３５は、同一の材料にて構成されつなぎ目がない。このような形態によれば、下フレーム５の剛性を高めることができ、結果として、枠部１５における爪部２５が形成される部分の周辺に応力をますます集中し難くすることができる。また、下フレーム５を構成する枠部１５、爪部２５及び補強部３５が一体に構成される場合、製造効率の観点からも有利である。
【００３７】
モールドフレーム６は、表示面側から見て枠状に形成されており、バックライトユニット３の外周を覆うように配置される。また、モールドフレーム６の表示面側に表示パネル２が載置される。
【００３８】
図６は、本実施形態に係る下フレーム５の第２例を示す平面図である。図６に示す下フレーム５は、図４に示す下フレーム５とは補強部３５の構成に差異がある点を除けば同一のものである。したがって、図４に示す下フレーム５と同等の構成には同符号を付し、その重複する説明を省略するものとする。
【００３９】
図６に示す下フレーム５の枠部１５は、第１方向ｄ１に延在する一対の第１枠部分１５ａと、第２方向ｄ２に延在する一対の第２枠部分１５ｂとから構成されている。爪部２５は、第１枠部分１５ａ及び第２枠部分１５ｂの少なくとも一方に形成されている。図６では、第２枠部分１５ｂに爪部２５が形成されている。そして、補強部３５が、対向する一対の第２枠部分のそれぞれを架け渡すように形成されている、具体的には、補強部３５は、爪部２５が形成されている一対の第２枠部分１５ｂのそれぞれを架け渡すように、平面的に見て矩形状に形成されている。これにより、枠部１５における爪部２５が形成される部分の周辺が撓みにくくなる。さらに、補強部３５は、第１枠部分１５ａと第２枠部分１５ｂとを架け渡すように形成されることで、枠部１５における爪部２５が形成される部分の周辺に応力が集中し難くなる。
【００４０】
なお、本発明は、上述の実施形態に限定されるものではない。例えば、下フレーム５は、図７及び図８に示す形状に形成されていてもよい。
【００４１】
図７は、本実施形態に係る下フレーム５の第３例を示す平面図である。図７に示す下フレーム５には、４つの爪部２５それぞれに対応する４つの補強部３５が形成されている。各補強部３５は、爪部２５が形成されている第２枠部分１５ｂと第１枠部分１５ａとを架け渡すように形成されている。具体的には、各補強部３５は、爪部２５が形成されている第２枠部分１５ｂと第１枠部分１５ａとを架け渡すように、平面的に見て矩形状に形成されている。なお、図７において、各補強部３５の形状は矩形状に限定されない。また、各補強部３５は、底板部１５ｃよりも背面側に位置し、底板部１５ｃとの間に段差ｓｔを形成している。
【００４２】
図８は、本実施形態に係る下フレーム５の第４例を示す平面図である。図８に示す下フレーム５には、４つの爪部２５に対応する１つの補強部３５が形成されている。補強部３５の外周側の端部は、枠部１５全体に接続されており、補強部３５の内周側の端部３５ｅは、平面的に見て楕円状に形成されている。なお、図８において、補強部３５の内周側の端部１５ｅの形状は楕円状に限定されない。また、補強部３５は、底板部１５ｃよりも背面側に位置し、底板部１５ｃとの間に段差ｓｔを形成している。
【００４３】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。例えば、表示パネルユニット１ａは、画像を表示することができる限り、バックライトユニット３を含んで構成されていなくてもよい。
【符号の説明】
【００４４】
１，１００  表示装置、１ａ,１０１ａ  表示パネルユニット、２，１０２  表示パネル、３，１０３  バックライトユニット、４，１０４  遮光テープ、５，１０５  下フレーム、６，１０６  モールドフレーム、１５，１１５  枠部、１５ａ，１１５ａ  第１枠部分、１５ｂ，１１５ｂ  第２枠部分、１５ｃ，１０５ｃ  底板部、１５ｄ，１０５ｄ  側壁部、１５ｅ，３５ｅ，１１５ｅ  端部、２１，１２１  ＴＦＴ基板、２２，１２２  対向基板、２３，１２３  液晶、２６，１２６  貫通孔、２７，１２７  ネジ、３１，１３１  導光板、３２，１３２  反射シート、３３，１３３  光学シート、３４，１３４  光源、３５  補強部、２５，１２５  爪部、１５０  付け根部分、５００  製品ケース。
【図１】
2017161828.tif 000003
【図２】
2017161828.tif 000004
【図３】
2017161828.tif 000005
【図４】
2017161828.tif 000006
【図５】
2017161828.tif 000007
【図６】
2017161828.tif 000008
【図７】
2017161828.tif 000009
【図８】
2017161828.tif 000010